(57)【要約】【課題】特定の通信パスに送信するパケットが集中することを防止するとともに、ノード間で設定されている他の通信パスに通信できる帯域があるにもかかわらずパケット廃棄が発生することを防止可能とするパケット振り分け送信制御方法を提供すること。【解決手段】直接隣接するノードに対してパケットを送信するための通信パスが複数ある場合に、送信しようとするパケットの特定部分の数値によりハッシュ演算を用いて、前述の複数ある通信パスの中から送信しようとするパケットを送信するための通信パスを選択するパケット振り分け送信制御方法において、前記ノードが送信しようとするパケットを特定のパケットフローに属するものとして認識して（ステップ１１０１〜１１０６，１１１３）、パケットフロー単位に送信するために使用する通信パスに割り当てることを特徴とする。【選択図】      図７
2004207944.tif 000002
【特許請求の範囲】
【請求項１】
パケット通信網を構成するノードが直接隣接するノードに対してパケットを送信するための通信パスが複数ある場合に、送信しようとするパケットの特定部分の数値によりハッシュ演算を用いて、前述の複数ある通信パスの中から送信しようとするパケットを送信するための通信パスを選択するパケット振り分け送信制御方法において、
前記ノードが送信しようとするパケットを特定のパケットフローに属するものとして認識して、パケットフロー単位に送信するために使用する通信パスに割り当てることを特徴とするパケット振り分け送信制御方法。
【請求項２】
前記ノード間を接続する複数の通信パスでパケット振り分けの対象となる通信パスに設定するハッシュキーの呼数の比を、前記パケット振り分けの対象となる通信パスの許容送信帯域の比と同じにすることを特徴とする請求項1に記載のパケット振り分け送信制御方法。
【請求項３】
前記ノードはパケットフローと通信パスの割り当てを管理する表を保持しており、前記表中のパケット送信時に送信する通信パスを選択する際に選択したパケットフローの管理順序を、パケットフローの選択を契機に変更することを特徴とする請求項１に記載のパケット振り分け送信制御方法。
【請求項４】
前記ノードは、通信パスの使用帯域を観測し、通信パスの使用帯域が設定したしきい値を超えた場合は、その通信パスに新しいパケットフローの割り当てを停止することを特徴とする請求項１に記載のパケット振り分け送信制御方法。
【請求項５】
ある通信パスがパケットフローを割り当てられない状態となった後に、通信パスの使用帯域が設定したしきい値以下になった場合は、新しいパケットフローを割り当てられるようにすることを特徴とする請求項４に記載のパケット振り分け送信制御方法。
【発明の詳細な説明】
【０００１】
【発明の属する技術分野】
本発明はパケット振り分け送信制御方法に関し、より具体的には、パケット通信網におけるノードのパケット振り分け送信機能の改良に関する。
【０００２】
【従来の技術】
パケット通信網を構成するノード、例えば、図１４に示すように、Ｐ＃１からＰ＃ｎの複数の通信パスにより接続されたノード（１）１０１とノード（２）１０２において、ノード（１）１０１からノード（２）１０２にパケットを送信する場合に、ノード（１）１０１は送信しようとするパケットを送信するための通信パスを選択するために、パケット毎にハッシュ演算を行うことによりパケット振り分け通信制御を行う。
【０００３】
ノード（１）１０１は、図１５に示すような機能部により、パケットを送信するための通信パスを選択するパケット振り分け制御を実現する。
図１５の識別部分設定部２０１でパケットを識別するためにパケット内の特定の領域、例えば、宛先アドレスや送信元アドレスなどを指定する。
図１５のパケット識別部２０２では、送信するパケット毎に識別部分設定部２０１で指定された領域に対する数値を抽出する。この数値をＮとする。Ｎは送信するパケット毎に当該パケットの識別値として扱う。
【０００４】
図１５に示すようにノード（１）１０１とノード（２）１０２を接続し、ノード（１）１０１からノード（２）１０２にパケットを送信する通信パスＰ＃１からＰ＃ｎのそれぞれの通信パスにハッシュキーＨを設定する。Ｐ＃１に設定したハッシュキーをＨ＃１、Ｐ＃２に設定したハッシュキーをＨ＃２、Ｐ＃Ａに設定したハッシュキーをＨ＃Ａ、Ｐ＃ｎに設定したハッシュキーをＨ＃ｎとする。
【０００５】
【発明が解決しようとする課題】
図１５のハッシュ演算部２０３では、送信するパケット毎に識別値Ｎとノード（１）１０１からノード（２）１０２にパケットを送信するための通信パスＰ＃１からＰ＃ｎに設定したハッシュキー数から、ハッシュ演算によりパケット毎にハッシュキーを算出する。ハッシュキーは送信するパケット毎に算出し、送信するパケット毎の数値として扱う。
図１５のパケット振り分け部２０４では、送信しようとするパケットを送信するための通信パスとして、当該パケットに対して算出されたハッシュキーと等しいハッシュキーを持つ通信パスを選択し、当該パケットを送信する。
【０００６】
図１６に、図１５の機能部により示される従来のパケット振り分け送信制御方法の処理フローチャートを示す。
図１６に示す処理フローチャートは、図１５の識別部分設定部２０１においてパケット識別値Ｎの抽出部分の設定（ステップ３０１）を行い、図１５のパケット振り分け部２０４において通信パスへのハッシュキー設定（ステップ３０２）を行う。
【０００７】
この２つの処理での設定に基づいて、ステップ３０３〜３０６の処理を、パケットに対して共通に使用する。転送するパケット一つ一つに対してステップ３０１，３０２の設定は行わない。ステップ３０３からの処理フロー説明は、ノードが転送するパケットの内、任意のパケットＡを例として行う。
パケットＡの送信において、図１５のパケット識別部２０２にてステップ３０１で設定したパケット識別値Ｎの抽出部分に基づき、パケットＡの識別値Ｎ＃Ａの抽出（ステップ３０３）を行い、ハッシュ演算部２０３にてステップ３０３で抽出したパケットＡの識別値Ｎ＃Ａから、ハッシュキーＨ＃Ａの算出（ステップ３０４）を行う。
【０００８】
さらに、パケット振り分け部２０４においてステップ３０２で設定した通信パスとハッシュキーの組み合わせから、ステップ３０４で算出したハッシュキーＨ＃Ａと同じハッシュキーを持つ通信パスＰ＃Ａの検出（ステップ３０５）を行って、パケット毎に送出する通信パスを決定して、パケットＡの通信パスＰ＃Ａでの送信（ステップ３０６）を行う。
このように、パケット毎に通信パスを振り分けることにより、特定の通信パスに送信すべきパケットが集中し、ノード間で設定した他の通信パスに空き帯域があるにもかかわらず、パケット廃棄が発生する場合があり、ノード間を接続する通信パスの帯域を有効に使用することが困難であり、通信量に見合ったネットワーク設計をすることが困難である。
【０００９】
また、前述のようにパケット毎に送信パスを振り分けることにより、送信しようとするパケット毎に送信時に送信するための通信パスを設定するため、パケットの転送において順序逆転を生じさせたくない特定のパケットフローにおいて、送信順序を保てない場合がある。
すなわち、従来は、パケット毎に通信パスを振り分けることにより、図１７に示すように特定の通信パスに送信するパケットが集中してしまい、ノード間で設定されている他の通信パスに通信できる帯域があるにもかかわらず、パケット廃棄が発生する場合があるために、ノード間を接続する通信パスの帯域を有効に利用することが困難であり、また、通信量に見合ったネットワーク設計をすることが困難であるという問題があった。
【００１０】
本発明は上記事情に鑑みてなされたもので、従来の技術における上述のような問題を解消することを目的とするものである。
より具体的には、本発明の目的は、特定の通信パスに送信するパケットが集中することを防止するとともに、ノード間で設定されている他の通信パスに通信できる帯域があるにもかかわらずパケット廃棄が発生することを防止可能とする、パケットを、パケットフローとして通信パスに割り当て、各通信パスの使用帯域に基づいて上述のパケットフローの割り当てを制御することにより、許容送信帯域の異なる通信パス間でのパケット振り分け送信を行うようにしたパケット振り分け送信制御方法を提供することにある。
【００１１】
【課題を解決するための手段】
上記目的を達成するため、本発明の請求項１に係るパケット振り分け送信制御方法は、パケット通信網を構成するノードが直接隣接するノードに対してパケットを送信するための通信パスが複数ある場合に、送信しようとするパケットの特定部分の数値によりハッシュ演算を用いて、前述の複数ある通信パスの中から送信しようとするパケットを送信するための通信パスを選択するパケット振り分け送信制御方法において、前記ノードが送信しようとするパケットを特定のパケットフローに属するものとして認識して、パケットフロー単位に送信するために使用する通信パスに割り当てることを特徴とする。
【００１２】
また、本発明の請求項２に係るパケット振り分け送信制御方法においては、前記ノード間を接続する複数の通信パスでパケット振り分けの対象となる通信パスに設定するハッシュキーの個数の比を、前記パケット振り分けの対象となる通信パスの許容送信帯域の比と同じにすることを特徴とする。また、請求項３に係るパケット振り分け送信制御方法においては、前記ノードはパケットフローと通信パスの割り当てを管理する表を保持しており、前記表中のパケット送信時に送信する通信パスを選択する際に選択したパケットフローの管理順序を、パケットフローの選択を契機に変更することを特徴とする。
【００１３】
また、本発明の請求項４に係るパケット振り分け送信制御方法においては、前記ノードは、通信パスの使用帯域を観測し、通信パスの使用帯域が設定したしきい値を超えた場合は、その通信パスに新しいパケットフローの割り当てを停止することを特徴とする。また、請求項５に係るパケット振り分け送信制御方法においては、ある通信パスがパケットフローを割り当てられない状態となった後に、通信パスの使用帯域が設定したしきい値以下になった場合は、新しいパケットフローを割り当てられるようにすることを特徴とする。
【００１４】
上記各請求項に係るパケット振り分け送信制御方法によれば、特定の通信パスに送信するパケットが集中することを防止するとともに、ノード間で設定されている他の通信パスに通信できる帯域があるにもかかわらずパケット廃棄が発生することを防止可能とするという基本的な効果に加えて、以下のような付随的効果も得られる。
【００１５】
本発明の請求項１に係るパケット振り分け送信制御方法においては、前述のように構成することにより、パケットを送信するための通信パスを決定する際に送信しようとするパケット毎に送信時にハッシュ演算を行わなくてよくなり、処理が迅速化される。また、請求項２に係るパケット振り分け送信制御方法においては、前述のように構成することにより、通信パスにパケットフローを振り分ける頻度を通信パスの許容送信帯域に比例させることが可能になる。
【００１６】
さらに、請求項３に係るパケット振り分け送信制御方法においては、前述のように構成することにより、選択回数の高いパケットフローをパケットフローと通信パスの割り当てを管理する表の中の上位に記述することにより、通信パスの余剰送信帯域がないことが原因で振り分けられたパケットを送信できなくなる状態を回避することが可能になる。
【００１７】
本発明の請求項５に係るパケット振り分け送信制御方法においては、前述のように構成することにより、通信パスを動的に管理し、その効率的な運用を可能にすることができる。
なお、本発明の他の効果は、以下に明らかにされる。
【００１８】
【発明の実施の形態】
以下、本発明の実施の形態を、図面に示す好適実施例に基づいて、詳細に説明する。
【００１９】
パケット通信網を構成するノードにおいて、図１に示すようにノード（１）５０１とノード（２）５０２の間で、ノード（１）５０１からノード（２）５０２に向けてパケットを送信する場合に、送信するパケットの振り分けを行う対象となる通信パスであるＰ＃１〜Ｐ＃ｎからなる通信パス群Ｆ５０３があって、通信パス群Ｆ５０３を構成するそれぞれの通信パスのの許容送信帯域がＴ＃１からＴ＃ｎであるような、通信許容帯域の異なる複数の通信パスで構成される通信パス群によるノード間接続を考える。
【００２０】
図１に示すような接続でのノード（１）５０１からノード（２）５０２にパケットを送信しようとする場合に、図２に示すような機能部によりノード（１）５０１からノード（２）５０２にパケットを送信するための通信パスを選択し送信するようなパケットの振り分け送信制御を行う。
図２のハッシュキー設定部５０５で、通信パスＰ＃１からＰ＃２それぞれにハッシュキーを設定する。ハッシュキーの設定では、通信パス群Ｆ５０３を構成する各通信パスの許容送信帯域の比に応じた個数のハッシュキーを設定する。
【００２１】
例えば、通信パス群Ｆ５０３を構成する通信パスがＰ＃１，Ｐ＃２，Ｐ＃３であって、それぞれの許容送信帯域がＴ＃１，Ｔ＃２，Ｔ＃３であり、Ｔ＃１：Ｔ＃２：Ｔ＃３が１：２：３であった場合、それぞれの通信パスに設定するハッシュキーの個数が１：２：３になるように通信パスにハッシュキーを設定する。
図２の通信パス管理部５０９では、ハッシュキー設定部５０５で通信パスに設定したハッシュキーをハッシュキーに対する通信パスとして、図３に示すようなハッシュキー管理表で管理する。
【００２２】
通信パス毎に割り当て状態として、割り当て停止の状態，割り当て可能の状態の２状態を設定する。図３に示すように、ハッシュキー管理表にて振り分け停止の状態か振り分け可能の状態かの割り当て状態を示す。図２の識別部分設定部５０６で、送信しようとするパケットを識別するためのパケット内の領域、例えば宛先アドレスや送信元アドレス等を指定する。
図２のパケット識別部５０７では、送信するパケット毎に識別部分設定部５０６で指定された領域に対する数値を抽出する。この数値をＮとする。Ｎは送信するパケット毎に当該パケットの識別値として扱われる。
【００２３】
本発明では、同じ識別値を持つパケットは、その識別値で識別されるパケットフローに属するものとして認識し、パケットフロー毎に送信する通信パスを選択する。つまり、識別値Ｎを持つパケットは識別値Ｎで認識されるパケットフローに属するものとして認識し、識別値Ｎのパケットフローに属するパケットは全て当該パケットフローに対して選択された同じ通信パスで送信する。
【００２４】
図２のパケットフロー振り分け部５１０では、図４に示すようなパケットフロー表でパケットフロー識別値に対して当該パケットフローに属するパケットを送信するための通信パスを管理する。送信しようとするパケットの識別値から属するパケットフローを認識し、該当するパケットフローに割り当てられた通信パスを送信しようとするパケット送信するための通信パスとして選択する。
【００２５】
例えば、パケットフロー表を検索し、送信しようとするパケットの識別値と同じパケットフロー識別値を発見した場合は、当該識別値に割り当てられた通信パスを、当該パケットを送信するための通信パスとして選択し、送信する。
パケットフロー表を検索し、送信しようとするパケットの識別値と同じパケットフロー識別値を発見した場合は、図５に示すように、当該パケットフロー識別値とそれに割り当てた通信パスの管理順序を上位に移動する。
【００２６】
パケットフロー振り分け部５１０で、送信しようとするパケットの識別値と同じパケットフロー識別値がパケットフロー表にない場合は、当該パケットの識別値を新たなパケットフロー識別値として通信パス管理部５０９に送り、新たなパケットフロー識別値に対する通信パスを要求し、通信パス管理部５０９から当該パケットフロー識別値に対する通信パスを割り当ててもらい、図６に示すようにパケットフロー表の最上位に記載するとともに、割り当てられた通信パスを、送信しようとするパケットを送信するための通信パスとして選択する。
【００２７】
本構成例では、送信する通信パスを選択するために、パケット毎にハッシュ演算を行う必要がなくなるものである。
図２のハッシュ演算部５０８は、パケットフロー識別値と通信パス群に設定したハッシュキーの個数により、パケットフローの識別値に対するハッシュキーを算出する。帯域監視部５１１では、通信パスの使用帯域を観測する。
しきい値設定部５０４では、通信パスの使用帯域に対して用いる割り当て停止しきい値と割り当て可能しきい値を設定する。
【００２８】
図７に、パケットフロー毎に通信パスを設定する処理フローを示す。
図７に示すように、ステップ１１０１でパケット識別値を抽出する部分の設定を行い、ステップ１１０２で通信パスへのハッシュキー設定を行う。ステップ１１０１と１１０２の処理での設定は、ステップ１１０３〜１１１４の処理でパケットに対して共通に使用する。転送するパケット一つ一つに対してステップ１１０１，１１０２の設定は行わない。
ステップ１１０３からの処理フローの説明は、ノードが転送するパケットの内、任意のパケットＡを例として行う。パケットＡの転送において、ステップ１１０１で設定されたパケット識別値の抽出部分からパケットＡの識別値Ｎ＃Ａの抽出（ステップ１１０３）を行う。
【００２９】
図２のパケットフロー振り分け部５１０にて識別値と通信パスの管理表であるパケットフロー表により、ステップ１１０３で抽出された識別値Ｎ＃Ａに対して通信パスが割り当てられているか否かを検査（ステップ１１０４）し、通信パスが割り当てられている場合は、Ｎ＃Ａに対する通信パスとしてＰ＃Ａを選択（ステップ１１０５）するとともに、パケットフロー表において、Ｎ＃Ａの管理順番を上位に変更（ステップ１１０６）し、Ｐ＃Ａを識別値Ｎ＃Ａを持つパケットＡを送信する通信パスとして決定（ステップ１１１３）して、パケットＡをＰ＃Ａで送信（ステップ１１１４）する。
【００３０】
ステップ１１０４で、パケットフロー振り分け部５１０においてパケットフロー表でＮ＃Ａに対する通信パスの割り当てがなかった場合には、新たな識別値に対する通信パス要求を、通信パス管理部５０９に対して行う。通信パス管理部５０９は、通信パスを要求された識別値Ｎ＃Ａに対するハッシュキーの算出要求をハッシュ演算部５０８に行い、ハッシュ演算部５０８では、当該識別値と通信パス群を構成する各通信パスに設定したハッシュキーの個数から、当該識別値に対するハッシュキーＨ＃Ａを算出し、通信パス管理部５０９に通知する（ステップ１１０７）。
【００３１】
図２中の通信パス管理部５０９は、ハッシュキー管理表から識別値に対して算出されたハッシュキーＨ＃Ａに割り当てられた通信パスＰ＃Ａを検索（ステップ１１０８）し、その通信パスが割り当て可能の状態になっている場合に、その通信パスＰ＃Ａを識別値Ｎ＃Ａに対する通信パスとして決定（ステップ１１０９）して、パケットフロー振り分け部５１０に識別値Ｎ＃Ａに対する通信パスがＰ＃Ａであることをを通知する。
【００３２】
また、通信パス管理部５０９で、ハッシュキー管理表から識別値に対して算出されたハッシュキーＨ＃Ａに割り当てられた通信パスＰ＃Ａを検索（ステップ１１０８）し、その通信パスＰ＃Ａが割り当て停止の状態である場合には、ハッシュキー管理表において次に位置するハッシュキーＨ＃の通信パスＰ＃Ｂが割り当て停止の状態か割り当て可能の状態かを検査（ステップ１１０９）し、割り当て可能の状態である場合には、その通信パスＰ＃Ｂを識別値Ｎ＃Ａに対して設定する。
【００３３】
通信パスＰ＃Ｂが割り当て停止状態の場合は、さらに次に位置する通信パスについて同様の処理を行い、割り当てる通信パスが見つかるまでこれを繰り返す（ステップ１１１２）。図７では、一例として、Ｐ＃Ｂで通信パスが決定した場合について示している。
ステップ１１１０の処理において、パケットフロー振り分け部５１０では、通信パス管理部５０９から識別値Ｎ＃Ａに対する通信パスＰ＃Ａまたは通信パスＰ＃Ｂの通知を受けて、パケットフロー表の最上位で管理し、Ｐ＃ＡまたはＰ＃Ｂを、識別値Ｎ＃Ａを持つパケットＡを送信する通信パスとして決定（ステップ１１１３）して、パケットＡを通信パスＰ＃ＡまたはＰ＃Ｂで送信（ステップ１１１４）する。
【００３４】
図８に示すように通信パス管理部１２０５は、通信パス毎に割り当て停止の状態か割り当て可能の状態かを判断し、ハッシュキー管理表で管理する。
帯域監視部１２０６は、通信パス毎に使用状態を監視し、しきい値設定部１２０４から設定された割り当て停止しきい値を超えている使用状態にある通信パスを割り当て停止の状態として通信パス毎の状態を管理する。割り当て停止の状態である通信パスの使用帯域が割り当て可能しきい値を下回った場合は、割り当て可能な状態として通信パス毎に管理する。
【００３５】
また、通信パス管理部１２０５は、帯域監視部１２０６から通信パス毎に通信パスの状態を受け取り、ハッシュキー管理表で管理する。
本構成例を、パケット通信網において帯域が異なる複数の通信パスで接続されているノード間に用いることにより、ノード間の通信帯域を有効に利用し、経済的なネットワークを構築することができる。
【００３６】
以下、より具体的な実施形態を説明する。
図９に示す実施例のように、ノード（１）１３０１とノード（２）１３０２が許容送信帯域１００の通信パスＰ＃１，許容送信帯域２００の通信パスＰ＃２，許容送信帯域３００のＰ＃３から構成される通信パス群Ｆ１３０３で接続されている構成で、ノード（１）１３０１においてノード（２）１３０２との間を接続する通信パスに割り当て停止しきい値として７０％、割り当て可能しきい値として５０％を設定し、Ｐ＃１の使用帯域が９０、Ｐ＃２の使用帯域が１５０、Ｐ＃３の使用帯域が１００であるとした場合において、ノード（１）１３０１がノード（２）１３０２にパケット１を送信する場合を考える。
【００３７】
図９に示す実施例において、ノード（１）１３０１ではＰ＃１，Ｐ＃２，Ｐ＃３の許容送信帯域の比が１：２：３であるので、各通信パスに設定するハッシュキーの数を１：２：３になるように設定し、Ｐ＃１に設定するハッシュキーを０，１とし、Ｐ＃２に設定するハッシュキーを２，３，４，５とし、Ｐ＃３に設定するハッシュキーを６，７，８，９，１０，１１として、各通信パスの使用帯域としきい値とからＰ＃１，Ｐ＃２は割り当て停止の状態、Ｐ＃３が割り当て可能の状態と判断して、図１０のようなハッシュキー管理表を設定する。
【００３８】
ノード（１）１３０１でパケット１を転送するために、パケットを識別するために定めたパケットの特定の部分から得られるパケット１の識別値が１００である場合、パケット１を識別値が１００であるパケットフローを構成するパケットと認識し、図１１に示すパケットフロー表で、パケットフロー識別値１００があるか否かを検索する。
【００３９】
ここでは、パケットフロー識別値１００がないので、新たなパケットフロー識別値として、ハッシュキーを計算しハッシュキー４を得る。識別値１００のハッシュキー４と同じキーを持つ通信パスＰ＃２が送信パケットとして最初に選択されるが、割り当て停止の状態にあるため、次の割り当て可能状態にある通信パスＰ＃３を実際の送信パスとして決定し、図１２に示すように、パケットフロー識別値１００で認識されるパケットを送信する通信パスとしてＰ＃３をパケットフロー表の最上位で管理するとともに、パケット１を通信パスＰ＃３で送信する。
【００４０】
図１２のパケットフロー表によりノード（１）１３０１が動作している場合、パケットフロー識別値が１５０であるパケットフローに属するパケットを送信する場合、パケットフロー表から通信パスＰ＃１を選択するとともに、記載順番の入れ替えを行って、パケットフロー表は図１３のようになる。
【００４１】
通信パスＰ＃１は使用帯域が５０以下となった場合は、割り当て可能状態となり、パケットフロー識別値を割り当てられる状態になる。また、通信パスＰ＃２は使用可能帯域が１００以下となった場合には割り当て可能状態となり、パケットフロー識別値を割り当てられる状態となる。
【００４２】
パケットフローとして通信パスに割り当て、通信パスの使用帯域によりパケットフローの割り当てを制限することにより、パケットフローとして送信順序を維持しつつ、許容送信帯域の異なる通信パス間でのパケット振り分け送信を可能とし、ノード間の通信パスを計画的に設定することが可能となる。
【００４３】
上記実施例によれば、特定の通信パスに送信するパケットが集中することを防止するとともに、ノード間で設定されている他の通信パスに通信できる帯域があるにもかかわらずパケット廃棄が発生することを防止可能とするパケット振り分け送信制御方法を実現できるという効果が得られる。
【００４４】
なお、上記実施例は本発明の一例を示すものであり、本発明はこれに限定されるべきものではなく、本発明の要旨を逸脱しない範囲内で、適宜の変更・改良等を行ってもよいことはいうまでもない。
【００４５】
【発明の効果】
以上、詳細に説明したように、本発明によれば、パケットフローとして通信パスに割り当て、通信パスの使用帯域によりパケットフローの割り当てを制限することにより、パケットフローとして送信順序を維持しつつ、許容送信帯域の異なる通信パス間でのパケット振り分け送信を可能とし、ノード間の通信パスを計画的に設定することが可能となるという顕著な効果を奏するものである。
【図面の簡単な説明】
【図１】本発明のパケット振り分け送信制御方法の具体的構成例を示す図である。
【図２】本発明のパケット振り分け送信制御方法の機能部の動作を表わす図である。
【図３】本発明のパケット振り分け送信制御方法のハッシュキー管理表の一例である。
【図４】本発明のパケット振り分け送信制御方法のパケットフロー表である。
【図５】パケットフロー表の通信パスの管理順序を変更する説明図である。
【図６】パケットフロー表の通信パスの管理順序を変更する説明図である。
【図７】通信パスを設定する処理フロー図である。
【図８】本発明の請求項5に記載されたパケット振り分け送信制御方法の動作を説明する図である。
【図９】一実施形態に係るネットワークの構成例を示す図である。
【図１０】ハッシュキー管理表の一例を示す図である。
【図１１】パケットフロー表の他の例を示す図である。
【図１２】パケットフロー表の他の例を示す図である。
【図１３】パケットフロー表の他の例を示す図である。
【図１４】従来技術によるパケット振り分け送信制御方法の構成図である。
【図１５】図１４のパケット振り分け送信制御方法の機能部の動作を表わす図である。
【図１６】図１５の機能部によるパケット振り分け送信制御方法の処理フローチャートである。
【図１７】従来技術によるパケット振り分け送信制御方法の課題を示す図である。
【符号の説明】
５０１，１２０１，１３０１  ノード（１）
５０２，１２０２，１３０２  ノード（２）
５０３，１２０３，１３０３  通信パス群
５０４，１２０４  しきい値設定部
５０５  ハッシュキー設定部
５０６  識別部分設定部
５０７  パケット識別部
５０８  ハッシュ演算部
５０９，１２０５  通信パス管理部
５１０  パケットフロー振り分け部
５１１，１２０６  帯域監視部
【図１】
2004207944.tif 000003
【図２】
2004207944.tif 000004
【図３】
2004207944.tif 000005
【図４】
2004207944.tif 000006
【図５】
2004207944.tif 000007
【図６】
2004207944.tif 000008
【図７】
2004207944.tif 000009
【図８】
2004207944.tif 000010
【図９】
2004207944.tif 000011
【図１０】
2004207944.tif 000012
【図１１】
2004207944.tif 000013
【図１２】
2004207944.tif 000014
【図１３】
2004207944.tif 000015
【図１４】
2004207944.tif 000016
【図１５】
2004207944.tif 000017
【図１６】
2004207944.tif 000018
【図１７】
2004207944.tif 000019